(57)【要約】【課題】光ディスクに記録された情報を再生するまたは光ディスクに情報を記録するとき、光ディスクの回転により発生する気流によって、埃がピックアップ部が備えるレンズに付着することを防止し、更に装置内に侵入した埃を除去することができる光ディスク装置を提供する。【解決手段】ターンテーブルに載置された光ディスクに対向し、光ディスクの回転軸を中心として、ピックアップ部から光ディスクが回転する回転方向に対して、角度−９０度以内の位置に埃を吸着する埃吸着部を設ける。【選択図】　図２
2004055059.tif 000002
【特許請求の範囲】
【請求項１】
光ディスクを載置するターンテーブルと、前記ターンテーブルを回転する回転駆動部と、前記ターンテーブルに載置された光ディスクにレーザ光を照射し光ディスクから反射したレーザ光を受光するピックアップ部を備えた光ディスク装置において、
前記ターンテーブル、前記回転駆動部、前記ピックアップ部及び上面に平板を備える駆動部と、前記ターンテーブルに載置された光ディスクに対向し前記平板の上面に埃吸着部を備えたことを特徴とする光ディスク装置。
【請求項２】
請求項１に記載の光ディスク装置において、
前記埃吸着部は、光ディスクが前記回転駆動部により回転するとき発生する気流が前記ピックアップ部に流れてくることを防ぐ位置に備えられていることを特徴とする光ディスク装置。
【請求項３】
請求項１又は請求項２に記載の光ディスク装置において、
前記埃吸着部は、光ディスクの内周側から外周側に延在し、かつ前記ピックアップ部から光ディスクの回転方向に対して角度９０度手前以内の位置に備えられていることを特徴とする光ディスク装置。
【請求項４】
請求項３に記載の光ディスク装置において、
前記埃吸着部は、更に光ディスクの外周側から光ディスクの円周方向に前記平板部の上面に延在することを特徴とする光ディスク装置。
【請求項５】
請求項１乃至請求項４のいずれか１項に記載の光ディスク装置において、
前記埃吸着部は、前記ピックアップ部と略同一の高さであることを特徴とする光ディスク装置。
【請求項６】
請求項１乃至請求項５のいずれか１項に記載の光ディスク装置において、
前記埃吸着部は、ポリウレタン樹脂からなることを特徴とする光ディスク装置。
【発明の詳細な説明】
【０００１】
【発明の属する技術分野】
本発明は、コンパクトディスク（ＣＤ：Ｃｏｍｐａｃｔ　Ｄｉｓｃ）、ミニディスク（ＭＤ：ＭｉｎｉＤｉｓｃ）、デジタルバーサタイルディスク（ＤＶＤ：Ｄｉｇｉｔａｌ　Ｖｅｒｓａｔｉｌｅ　Ｄｉｓｃ）等の光ディスクに記録された情報を再生しまたは光ディスクに情報を記録する光ディスク装置に関する。
【０００２】
【従来の技術】
従来の光ディスク装置は、光ディスクに記録された情報を再生しまたは光ディスクに情報を記録するために、光ディスクを所定の線速度で回転し、光ディスクに対向する位置にあるピックアップ部からレーザ光を光ディスクに照射し光ディスクから反射したレーザ光を受光する。
【０００３】
光ディスク装置として、ＣＤプレーヤを例に挙げて従来技術を説明する。
図５は、従来のＣＤプレーヤが備える駆動部の上面図を示す。駆動部２５は、ターンテーブル１、ピックアップ部５、図示しない回転駆動部、ピックアップ駆動部等を備えている。ピックアップ部５は、レーザ光を照射するレンズ２２を備えており、ターンテーブル１に載置したＣＤの情報面に対向する位置に設けられている。
【０００４】
ターンテーブル１は、ＣＤを載置する。ＣＤプレーヤが備える操作部から入力される再生開始の指示により、回転駆動部が回転する。回転駆動部に軸支されたターンテーブル１が回転することにより、ＣＤは、図５に示した回転方向に所定の線速度で回転する。ピックアップ部５は、レンズ２２からＣＤにレーザ光を照射して、ＣＤから反射したレーザ光を受光することにより、ＣＤに記録された情報を再生する。また、ピックアップ部５は、ピックアップ駆動部によりＣＤの径方向にスライドされる。
【０００５】
ＣＤをターンテーブル１に載置する場合またはターンテーブル１からＣＤを取り出す場合、ＣＤプレーヤの外部から内部に埃が侵入することがある。このため、図５に示すように、ＣＤが回転することにより発生する気流２４は、ＣＤプレーヤ内部に侵入した埃を散乱させる。気流２４により散乱した埃は、ピックアップ部５のレンズ２２に付着することがある。
【０００６】
レンズ２２に埃が付着すると、ＣＤに記録されている情報を正確に再生することができなくなる虞がある。ＣＤに記録された情報の正確な再生ができない場合、このＣＤプレーヤの使用者は、ピックアップ部５のレンズ２２を洗浄する必要があった。
【０００７】
この課題を解決するために、ディスクをディスク装置に挿入するときにディスク装置内へ塵埃の侵入を防ぐことができるディスク装置が特開平１１−２３２８３１号公報に開示されている。特開平１１−２３２８３１号公報に開示されたディスク装置は、静電気帯電部材と、ディスクを装置に挿入するためのディスク挿入口に設けられた塵埃を拭き取る防塵用部材と、この防塵用部材の近傍に設けられ一部が静電気帯電部材で構成されたディスクガイド部材と、ディスクガイド部材の静電気帯電部材を帯電させる静電気発生装置を備えている。
【０００８】
特開平１１−２３２８３１号公報に開示されたディスク装置は、ディスク挿入口からディスクを挿入し、ディスクが挿入されたことをディスク検知センサが検知すると、静電気発生装置により静電気を発生し、静電気帯電部材を帯電させることによりディスクに付着している塵埃を除去することができる。
【発明が解決しようとする課題】
【０００９】
しかし、特開平１１−２３２８３１号公報に開示されたディスク装置は、ディスク挿入口から侵入した塵埃及びディスク挿入時にディスクに付着した塵埃を除去することはできるが、ディスク装置の筐体の隙間等から侵入した塵埃を除去することができない。また、ディスク挿入口に防塵用部材、静電気発生装置、ディスク検出センサ等を備えているので、ディスク装置の部品数、製造工程数が増え、製造コストが高くなるという課題がある。
【００１０】
本発明は、上記の課題を解決するためになされたものであり、光ディスクに記録された情報を再生するまたは光ディスクに情報を記録するとき、ピックアップ部が備えるレンズに埃が付着することを防止し、更に装置内に侵入した埃を除去することができる光ディスク装置を提供すること目的とする。
【００１１】
【課題を解決するための手段】
上記の課題を解決するために、本願の請求項１記載の発明は、光ディスクを載置するターンテーブルと、前記ターンテーブルを回転する回転駆動部と、前記ターンテーブルに載置された光ディスクにレーザ光を照射し光ディスクから反射したレーザ光を受光するピックアップ部を備えた光ディスク装置において、前記ターンテーブル、前記回転駆動部、前記ピックアップ部及び上面に平板を備える駆動部と、前記ターンテーブルに載置された光ディスクに対向し前記平板の上面に埃吸着部を備えたことを特徴とする。
【００１２】
また、本願の請求項２記載の発明は、請求項１に記載の光ディスク装置において、前記埃吸着部は、光ディスクが前記回転駆動部により回転するとき発生する気流が前記ピックアップ部に流れてくることを防ぐ位置に備えられていることを特徴とする。
【００１３】
また、本願の請求項３記載の発明は、請求項１又は請求項２に記載の光ディスク装置において、前記埃吸着部は、光ディスクの内周側から外周側に延在し、かつ前記ピックアップ部から光ディスクの回転方向に対して角度９０度手前以内の位置に備えられていることを特徴とする。
【００１４】
また、本願の請求項４記載の発明は、請求項３に記載の光ディスク装置において、
前記埃吸着部は、更に光ディスクの外周側から光ディスクの円周方向に前記平板の上面に延在することを特徴とする。
【００１５】
また、本願の請求項５記載の発明は、請求項１乃至請求項４のいずれか１項に記載の光ディスク装置において、前記埃吸着部は、前記ピックアップ部と略同一の高さであることを特徴とする。
【００１６】
また、本願の請求項６記載の発明は、請求項１乃至請求項５のいずれか１項に記載の光ディスク装置において、前記埃吸着部は、ポリウレタン樹脂からなることを特徴とする。
【００１７】
【発明の実施の形態】
以下、本発明の実施の形態を図面に基づいて説明する。
図１は、本発明の光ディスク装置の一実施例のブロック図である。本実施例の光ディスク装置は、オーディオデータが記録されたＣＤを再生するＣＤプレーヤである。
【００１８】
図１において、１はターンテーブル、２は回転駆動部、３はサーボ制御部、４はピックアップ駆動部、５はピックアップ部、６は再生アンプ、７は信号処理部、８はデジタルアナログコンバータ（ＤＡＣ　：Ｄｉｇｉｔａｌ　ｔｏ　Ａｎａｌｏｇ　Ｃｏｎｖｅｒｔｅｒ）、９はアンプ、１０は出力部、１１は制御部、１２は操作部、１３は表示部を示す。
【００１９】
回転駆動部２に軸支されたターンテーブル１は、ＣＤを載置する。操作部１２から再生開始の指示が入力されると、サーボ制御部３は、回転駆動部２を所定の線速度で回転駆動させる制御をする。また、サーボ制御部３は、ピックアップ部５からのレーザ光をＣＤのピット列を正しくトレースするために、図示しないフォーカスサーボ回路とトラッキングサーボ回路を制御する。ピックアップ駆動部４は、サーボ制御部３の制御によりピックアップ部５をＣＤの径方向にスライドする。
【００２０】
ピックアップ部５が再生したデジタルオーディオデータは、再生アンプ６により波形整形及び増幅され信号処理部７に入力される。信号処理部６は、デジタルオーディオデータの復調、フォーカスエラー信号やトラッキングエラー信号等のエラー信号、同期信号の抜き出し等をしてデジタルオーディオデータをＤＡＣ８に入力する。
【００２１】
ＤＡＣ８は、デジタルオーディオデータをアナログオーディオ信号に変換しアンプ９に入力する。ＤＡＣ８から入力されたアナログオーディオ信号は、アンプ９により増幅され出力部１０に接続したスピーカ等から出力される。
【００２２】
操作部１２は、再生ボタン、再生停止ボタン、早送りボタン、早戻しボタン等を備えている。表示部１３は、現在再生しているトラックの再生時間、トラックナンバー等を表示する。
【００２３】
図２は、本実施例において、埃吸着部２１を備えた駆動部２５の上面図である。図３は、駆動部２５の側面図を示す。
【００２４】
図２及び図３に示すように、ターンテーブル１、ピックアップ部５及び埃吸着部２１は、駆動部２５の平板２３の上面に設けられている。平板２３は、ターンテーブル１及びピックアップ部５に外力による振動の伝達を防ぐために、駆動部２５とバネまたはゴム等の弾性体を介して保持されている。
【００２５】
図２に示すように、埃吸着部２１は、ＣＤの内周側に位置した平板２３のＡ点から、ＣＤの外周に位置した平板２３のＢ点に延びた角柱の形状をしている。また、埃吸着部２１は、ＣＤの回転軸を中心として、ピックアップ部５からＣＤの回転方向に対して、角度−９０度以内の位置（図２において、ピックアップ部５の右側）に設けられている。図３に示すように、埃吸着部２１は、平板２３の上面にＣＤに対向するように設けられており、ピックアップ部５と略同一の高さである。この埃吸着部２１は、例えば、ポリウレタン樹脂等の多孔質樹脂などからなる。
【００２６】
図２に示すように、ＣＤが回転することによって発生する気流２４は、ＣＤの内周側からＣＤの外周側に向かって、ＣＤの回転方向と同じ方向に流れる。ＣＤをターンテーブル２に載置する場合等により、ＣＤプレーヤの外部から侵入した埃は、発生した気流２４により散乱する。図２または図３に示すように、気流２４は、埃吸着部２１に衝突することにより、気流２４の流れる方向が変わるため、ピックアップ部５の方向に流れなくなる。したがって、本実施例の埃吸着部２１は、気流２４の流れる方向を変えるため、ピックアップ部５のレンズ２２に埃を付着することを防ぐことができる。
【００２７】
また、図２に示すように、気流２４は、ＣＤの回転方向と同じ方向に流れるので、埃吸着部２１は、ピックアップ部５からＣＤの回転方向に対して、角度−９０度以内の位置に設けることにより、気流２４がピックアップ部５に流れてくることを防ぐことができ、レンズ２２に埃を付着させることを防ぐことができる。また、図３に示すように、埃吸着部２１は、ピックアップ部５と略同一の高さにすることにより、埃吸着部２１とＣＤの接触を防ぐことができる。
【００２８】
また、気流２４により散乱した埃は、埃吸着部２１に衝突し埃吸着部２１の孔に吸着される。したがって、本実施例の埃吸着部２１は、ＣＤプレーヤの外部から侵入した埃がピックアップ部５のレンズ２２に付着することを防止するだけでなく除去することもできる。
【００２９】
図４は、本発明の他の実施例において、埃吸着部２１を備えた回転駆動部２の上面図である。
【００３０】
図４に示すように、埃吸着部２１は、ＣＤの内周側に位置した平板２３のＡ点から、ＣＤの回転軸を中心として、ピックアップ部５からＣＤの回転方向に対して、角度−９０度のＣＤの外周に位置した平板２３のＢ点を介して、ＣＤの円周に沿ってピックアップ部５に近接した位置である平板２３のＣ点に延びた角柱の形状をしている。
【００３１】
埃吸着部２１は、図４に示すような形状をしているので、ＣＤの外側からＣＤの下面に流れてくる気流２４ｂがピックアップ部５に流れてくるのを防ぐことができる。ＣＤの下面を流れる気流２４ａ及びＣＤの外側からＣＤの下面に流れてくる気流２４ｂは、埃吸着部２１に衝突し流れる方向が変わるため、ピックアップ部５の方向に流れなくなる。したがって、本実施例の埃吸着部２１は、ピックアップ部５のレンズ２２に埃が付着することを防ぐことができる。
【００３２】
また、気流２４ａ及び気流２４ｂにより散乱した埃は、埃吸着部２１に衝突し埃吸着部２１の孔に吸着される。したがって、本実施例の埃吸着部２１は、ＣＤプレーヤ外部から侵入した埃がピックアップ部５のレンズ２２に付着することを防止するだけでなく除去することもできる。
【００３３】
上述の実施例は、光ディスクに記録された情報を再生する再生装置について説明したが、光ディスクに情報を記録する記録装置でも、同様に本発明を実施することができる。
【００３４】
【発明の効果】
本発明の光ディスク装置によれば、光ディスクに記録された情報を再生するまたは光ディスクに情報を記録するとき、ピックアップ部が備えるレンズに埃が付着することを防止し、更に装置内に侵入した埃を除去することができる光ディスク装置を提供することができる。
【図面の簡単な説明】
【図１】本発明の実施例であるＣＤプレーヤの構成を示すブロック図。
【図２】本発明の実施例である埃吸着部を説明する駆動部の上面図。
【図３】本発明の実施例である埃吸着部を説明する駆動部の側面図。
【図４】本発明の実施例である埃吸着部の他の実施例を説明する駆動部の上面図。
【図５】従来のＣＤプレーヤが備える駆動部の上面図。
【符号の説明】
１　　ターンテーブル
２　　回転駆動部
３　　サーボ制御部
４　　ピックアップ駆動部
５　　ピックアップ部
６　　再生アンプ
７　　信号処理部
８　　ＤＡＣ
９　　アンプ
１０　　出力部
１１　　制御部
１２　　操作部
１３　　表示部
２１　　埃吸着部
２２　　レンズ
２３　　平板
２４　　気流
２５　　駆動部
【図１】
2004055059.tif 000003
【図２】
2004055059.tif 000004
【図３】
2004055059.tif 000005
【図４】
2004055059.tif 000006
【図５】
2004055059.tif 000007